(57)【要約】【課題】  本考案は、髪毛を補足するための器具であって、この器具が、その支持テープに多数の髪毛が固定されている該支持テープを有し、および、この器具を固定するための粘着テープを有する様式の上記器具に関する。本考案の課題は、公知の器具の欠点を可能な限り十分に解消することである。【解決手段】  髪毛３は直接的に粘着テープ１の背面側２に貼付けられており、従って、この粘着テープ１が、同時に支持テープである。【選択図】      図１
0003125312.tif 000002
【実用新案登録請求の範囲】
【請求項１】
髪毛を補足するための器具であって、この器具が、
その支持テープに多数の髪毛が固定されている該支持テープを有し、および、
この器具を固定するための粘着テープを有する様式の上記器具において、
髪毛（３）は直接的に粘着テープ（１）の背面側（２）に貼付けられており、従って、この粘着テープ（１）が、同時に支持テープであることを特徴とする器具。
【請求項２】
髪毛（３）は、平行に互いに並列して、粘着テープ（１）の背面側（２）に貼付けられており、その際、これら髪毛が、この粘着テープ（１）の主延在方向に対して垂直に延在していることを特徴とする請求項１に記載の器具。
【請求項３】
髪毛（３）は、粘着テープ（１）の全幅にわたって、この粘着テープ（１）の背面側（２）に貼付けられていることを特徴とする請求項１または２に記載の器具。
【請求項４】
粘着テープ（１）は、両面粘着テープ（１）であることを特徴とする請求項１から３のいずれか一つに記載の器具。
【請求項５】
粘着テープ（１）は、この粘着テープの主延在面内において変形可能であるように構成されていることを特徴とする請求項１から４のいずれか一つに記載の器具。
【請求項６】
粘着テープ（１）は、透明であることを特徴とする請求項１から５のいずれか一つに記載の器具。
【請求項７】
髪毛（３）は、その領域内においてこれら髪毛が粘着テープ（１）の背面側（２）に貼付けられている、これら髪毛の領域内において、シーリングされていることを特徴とする請求項１から６のいずれか一つに記載の器具。
【請求項８】
髪毛（３）は、本物の髪毛から成り、且つ、その領域内においてこれら髪毛が粘着テープ（１）の背面側（２）に貼付けられている、これら髪毛の領域内において、抗吸湿性のシーリング（１０）が設けられていることを特徴とする請求項７に記載の器具。
【請求項９】
器具は、粘着テープ（１）の背面側（２）の上で、髪毛（３）を覆うカバー層（１１）でもって終わっていることを特徴とする請求項１から８のいずれか一つに記載の器具。
【請求項１０】
カバー層（１１）は、つや消しであるように構成されていることを特徴とする請求項９に記載の器具。
【考案の詳細な説明】
【技術分野】
【０００１】
本考案は、髪毛を補足するための器具であって、この器具が、その支持テープに多数の髪毛が固定されている該支持テープを有し、およびこの器具を固定するための粘着テープを有する様式の上記器具に関する。
【背景技術】
【０００２】
冒頭に記載した様式の器具として、HairContrast社の製品が公知であり、この製品は、「Tape ON and OFF-System」と称されている。この公知の器具は、織物挿入物を有するポリウレタンから成る支持テープを有しており、この支持テープに本物の髪毛が結び付けられており、これら本物の髪毛が、この支持テープの一方の側面において、この支持テープから離れて延在している。他方の側面の上で、両面粘着テープが、この支持テープの上に貼付けられる。この両面粘着テープを用いて、この公知の器具は、既存の髪毛に貼付けられる。この目的で、有利には、薄い髪毛束が、２つの器具の粘着テープの間、または当該の器具の部片の間に配設され、従って、これら粘着テープが、髪毛束の中間配設のもとで接し合うように粘着される。この髪毛束の埋め込みのもとでの、これら両方の粘着テープの接し合っての粘着によって、この公知の器具の良好な保持がこの髪毛束において達せられる。この公知の器具は、しかしながら、種々の欠点を伴っている。この支持テープへの本物の髪毛の結び付けによって、この支持テープから、同じ側で、髪毛の所望の長い部分だけでなく、反対方向の短い髪毛の部分も突き出している。それら短い髪毛の部分の鱗状に重なった部分（Schuppen）が、所望の長い髪毛の部分およびこの器具の着用者の自然のままの既存の髪毛に対して反対方向の整向を有する、これら反対方向の短い髪毛の部分は、この支持テープに対する継足し部において、これら髪毛のもつれようとする傾向があるという結果になる。更に別の欠点は、公知の器具が、着用の際に、この器具の固定の領域内において比較的に分厚く嵩張ることにある。この公知の器具は、２つの相対して粘着された器具の場合に、結び付けられた髪毛を有する２つの支持テープ、２つの粘着テープ、およびその中間に配置された髪毛束から成っている。更に別の欠点は、例えば、目立たない状態で、比較的に短い既存の髪毛に固定するために、粘着テープを、この粘着テープの幅内におけるこの器具の単位長さ当りの、補足される髪毛の数の維持のもとで裁断することが可能でないことである。つまり、公知の器具は、同様にこの器具の製造において極めて作業の割合が多く、且つ相応して高価である。
このような様式の器具は、国際公開第２００４/４３１８２号パンフレット（特許文献１）、および国際公開第２００５/４４０３１号パンフレット（特許文献２）から公知である。
【特許文献１】国際公開第２００４/４３１８２号パンフレット
【特許文献２】国際公開第２００５/４４０３１号パンフレット
【考案の開示】
【考案が解決しようとする課題】
【０００３】
従って、本考案の根底をなす課題は、冒頭に記載した様式の公知の器具の欠点を可能な限り十分に解消することである。
【課題を解決するための手段】
【０００４】
本考案の課題は、独立した請求項１の特徴を有する器具によって解決される。この新規の器具の有利な実施形態は、従属請求項２から１０まで内において記載されている。
【考案の効果】
【０００５】
この新規の器具の場合、髪毛は直接的に粘着テープの背面側に貼付けられており、従って、この粘着テープが、同時に支持テープを形成している。この粘着テープの傍らの別個の支持テープの放棄によって、この新規の器具は、この器具の使用の際に、公知の器具よりも明確に僅かに、この器具の固定の領域内において嵩張る。その際、この新規の器具の簡単な構造が、総じて、この粘着テープに沿っての髪毛の堅牢な固着のために十分であることは意外であった。実際上、しかしながらこのような堅牢な固着は、ここで与えられている諸条件に従う場合に達成可能である。
【０００６】
髪毛が、平行に互いに並列して、粘着テープの背面側に貼付けられており、その際、これら髪毛が、このテープの主延在方向に対して垂直に延在している場合に有利である。この新規の器具の髪毛は、粘着テープに沿ってのこれら髪毛の固定の領域内において、完全に直線状に指向している。このことは、これら髪毛への最小限の機械的な負荷を生じさせ、且つ相応して、無視可能なこれら髪毛の屈折する傾向を生じさせる、その上、平行に互いに並列して粘着テープの背面側に貼付けされた髪毛は、有利には、これら髪毛のために最大限の固持をこの粘着テープに沿って提供するために、この粘着テープの全幅にわたって、この粘着テープによって保持される。更に、これら髪毛の配設は、この粘着テープの長さ当りの髪毛の数がこの器具において低減されること無しに、この粘着テープがこの粘着テープの幅内において裁断され得ることを意味する。これら髪毛の固着は、その際、確かにこの粘着テープに沿っての低減された支持長さに相応して信頼性を失うが、このことは、しかしながら多くの場合に問題ではない。同様にこの長さにおいて、この新規の器具の粘着テープの場合、問題の無い裁断が行なわれる。これら髪毛に対して平行に裁断された場合、理想的なケースにおいて、ほんの１本の髪毛も、個別の部片の縁部領域内において失われない。
【０００７】
粘着テープが、両面粘着テープであることは可能であり、この両面粘着テープの一方の側面が、直接的に、この粘着テープの背面側に対する髪毛の貼付けのために利用され、これに対して、他方の側面が、この器具の固定のために使用される。着用者の既存の髪毛に対する、この新規の器具の固定は、基本的に、公知の器具の固定と全く同様に行われる。
【０００８】
粘着テープが、可能な限り更に有利な特性を有することは自明のことである。この目的で、それぞれの３次元的な頭部形状に適合可能とするために、この粘着テープはこの粘着テープの主延在面内において制限された状態で変形可能であるべきである。その場合、変形可能性が制限されている場合、これら髪毛の粘着がこの粘着テープでもって過負荷されないことは、有意義である。このような制限された変形可能性は、しかしながら同様に十分である。
【０００９】
更に、この粘着テープの色彩に基づいて髪毛内において奇異な感じを与えないために、粘着テープが透明である場合に有利である。このことは、この新規の器具の髪毛が、意図的に目立つ色彩を有することが可能でないことを意味しない。
【００１０】
髪毛が、その領域内においてこれら髪毛が粘着テープの背面側に貼付けられているこれら髪毛の該領域内において、シーリングされている場合、この新規の器具において特に有利である。このようなシーリングは、例えば、本物の髪毛から成る髪毛において、これら髪毛の吸湿性の特性が抑制されることの結果をもたらす。従って、その領域内においてこれら髪毛が、粘着テープの背面側に貼付けられている該領域内において、これら髪毛の容易な粘着に通常は妨げになっている空気湿度でもっての、長さ方向および直径方向内における通常の、髪毛の寸法の変動という状態にならない。
【００１１】
同様に人工髪毛から成る髪毛の場合、その領域内においてこれら髪毛が、粘着テープの背面側に貼付けられている該領域内におけるシーリングは、利点を伴う。何故ならば、このことによって、例えば、粘着物質内における溶剤によるこの人工髪毛の損傷が防止され得るからである。
【００１２】
この新規の器具は、粘着テープの背面側の上で、髪毛を覆うカバー層でもって終わっている。即ち、この新規の器具は、ただ粘着テープだけを、この粘着テープの主延在方向内において一貫した支持する構造体として有している。この器具の全ての更に別の構成要素は、一貫していないか、または、粘着剤層または同様に上記のカバー層のように、僅かの厚さ、即ちこれらの構成に基づいて、支持可能でないかである。
【００１３】
有利には、この新規の器具のカバー層はつや消しであり、即ち光沢がなく、このことは、粘着テープの透明性のように、この新規の器具の目立たない固定のために有利である。
【００１４】
本発明の有利な更なる構成は、従属請求項および全体的な説明から与えられる。更なる特徴は、図−特に、図示された幾何学的な形状、および、多数の構造部材相互の相対的な寸法、並びに、これら構造部材の相対的な配設および作用結合−から見て取れる。本発明の異なる実施形態の特徴、または、選択された従属関係から相違する、異なる請求項の特徴の組み合わせは同様に可能であり、且つ提案される。このことは、別個の図面内において図示されており、または、これら図面の説明において記述されているような特徴に関係している。これら特徴は、同様に異なる請求項の特徴でもっても組み合わせされる。
【００１５】
次に、図に示した有利な実施例に基づいて、本考案を詳しく説明する。
【考案を実施するための最良の形態】
【００１６】
図は、髪毛を補足するための器具を示している。その際、この器具は、同じ色において既存の髪毛の目立たない補足のため、および、多色の効果の調製のために利用される。その場合に、これら図内において示された器具は、典型的に既存の髪毛に貼付けられ、その際、２つのこのような器具、または当該の器具の部片が、２つの側面から、この器具の将来の着用者における既存の髪毛の、髪毛束に対して粘着され、従って、粘着物質層が、この既存の髪毛の束を越えて互いに結合する。このことは、既存の髪毛に沿ってのこの器具の堅牢な固着をもたらす。
【００１７】
図１から３までに示された器具を、粘着によって固定可能とするために、この器具は、粘着テープ１を有しており、この粘着テープに、この粘着テープの、図１による観察者の方を向く背面側２の上で、多数の髪毛３が貼付けられている。これら髪毛３は、この粘着テープ１の幅にわたって、互いに平行に指向しており、且つ、これら髪毛の全幅にわたって、粘着テープ１に貼付けられている。図３との関連において更に詳しく説明される、この粘着テープ１に沿っての髪毛３の固定の様式は、この粘着テープ１を、そのことが図１内において線４によって示されているこの粘着テープの長さに従って、および、そのことが図１内において線５によって示されているこの粘着テープの幅に従って裁断することを、この裁断によってこの粘着テープ１の長さ単位当りのこれら髪毛３の数が低減すること無しに許容する。
【００１８】
図１から３までによる器具の貼付け状態での固定のために、図２において観察者の方を向いている、粘着テープ１の前面側６が設けられている。厳密に言えば、観察者は、図２内において、そのことが詳細に、ここで更に引き合いに出される図３から明瞭であるように、取去り可能なカバーテープ７か、それとも、このカバーテープの下に存在する粘着テープ１の粘着物質層８を注視している。この粘着テープ１は両面粘着テープであり、この粘着テープが、このカバーテープがこの器具の使用のために取去られるまでこの粘着テープのカバーテープ７によってカバーされている、前面側に沿っての粘着物質層８のほかに、更に別の粘着層９を、この粘着テープの背面側２に沿って有している。この粘着層９の上に、髪毛３が配設され、その際、これら髪毛３は、その領域内においてこれら髪毛が粘着テープ１に貼付けられている該領域内において、シーリング１０を備えている。このシーリングは、本物の髪毛から成る髪毛３の場合、吸湿性の諸特性を、および従って、空気湿度即ち周囲湿度の変化の際の、全ての３次元内におけるそれぞれのこれら髪毛３の本質的な寸法変化を抑制する。この様式の、このシーリング１０無しに生じるこれら髪毛の寸法変化は、髪毛が、空気湿度即ち周囲湿度の通常生じる変動の際に、粘着部から解離することを、更にしばしば誘起する。この粘着層９およびシーリング１０に加えて、これら髪毛は、これら髪毛を粘着テープ１に貼付けるために、図３に図示されていない粘着物質マトリックスの中へ埋め込まれている。しかしながら同様に、このシーリング１０は、これら髪毛３を埋め込んだ状態で貫通するマトリックスを形成することも可能である。これら髪毛３、もしくはこれら髪毛のシーリング、または付加的な粘着物質マトリックスは、つや消しのカバー層１１を設けられており、このカバー層が、この粘着テープ１の背面側２の上の、図３による構造を完成している。このつや消しのカバー層１１は、この粘着テープ１の透明の構成と同様に、粘着層８および９、および同様に場合によってはあり得る付加的な粘着物質マトリックスをも含めて、図１から３までによる、この器具の視覚的な作用効果を、完全にこれら髪毛３に集中することの役目を果たす。このカバーテープ7をも含めて、この粘着テープ1の粘着物質層８は、図１から３までによるこの器具を、再び使用可能とするために更新可能である。その上、この粘着テープ１は、粘着物質層８および９、場合によってはあり得る付加的な粘着物質マトリックス、およびカバー層１１をも含めて、耐水性であり、且つ、少なくとも適当な特別の洗浄剤の使用の際に耐洗浄的であり、従って、図１から３までによる器具の周囲で補足された髪毛がこの器具の着用者によって洗浄されることも可能であり、または着用者がこの器具を備えた状態で泳ぐことも可能である。これら髪毛の延び方向が、これら髪毛の鱗状に重ねて整列した整向状態に関連して、図１から３による器具の場合、この粘着テープ１から見て、根元から観察された本物の髪毛と同じであることは、自明のことである。
【図面の簡単な説明】
【００１９】
【図１】外側からの、この新規の器具の外観の図である。
【図２】内側からの、この新規の器具の外観の図である。
【図３】その器具の粘着テープの領域内における、この新規の器具の断面図である。
【符号の説明】
【００２０】
１    粘着テープ
２    背面側
３    髪毛
４    線
５    線
６    前面側
７    カバーテープ
８    粘着層
９    粘着層
１０  シーリング
１１  カバー層
【図１】
0003125312.tif 000003
【図２】
0003125312.tif 000004
【図３】
0003125312.tif 000005